(57)【要約】【課題】カテーテルハブに対する針基の着脱を容易に行うことのできる留置針組立体を提供する。【解決手段】先端側にカテーテル３の基端側が取り付けられたカテーテルハブ２内に、針基８の先端側に基端側が取り付けられる内針９の先端をカテーテル３の先端から突出するように挿通した留置針組立体１において、カテーテルハブ２の基端部に雌ねじ部２１を設け、針基８の先端部に、雌ねじ部２１側へ突出する係合片１３２を設け、この係合片１３２に、雌ねじ部２１に係合する雄ねじ部１３３を設ける。【選択図】図３
0003170612.tif 000002
【実用新案登録請求の範囲】
【請求項１】
先端側にカテーテルの基端側が取り付けられたカテーテルハブ内に、針基の先端側に基端側が取り付けられた内針の先端を前記カテーテルの先端から突出するように挿通した留置針組立体において、
前記針基の先端部と前記カテーテルハブの基端部との一方に係止部を設け、
前記針基の先端部と前記カテーテルハブの基端部との他方に、前記係止部側へ突出する係合片を設け、
前記係合片に、前記係止部に係合する係合部を設けた、
ことを特徴とする留置針組立体。
【請求項２】
請求項１に記載の留置針組立体において、
前記係止部と、前記係合片との少なくとも一方を、弾性体で構成した、
ことを特徴とする留置針組立体。
【請求項３】
請求項１または請求項２に記載の留置針組立体において、
前記係止部と前記係合部とを、雌ねじ部と雄ねじ部とで構成した、
ことを特徴とする留置針組立体。
【請求項４】
請求項３に記載の留置針組立体において、
前記雄ねじ部の前記雌ねじ部と係合しないねじ山の非係合部分側を、面取りしてガイド面とした、
ことを特徴とする留置針組立体。
【請求項５】
請求項１から請求項４のいずれか１項に記載の留置針組立体において、
前記内針の先端に位置する刃面を、前記係合片側となるように配置した、
ことを特徴とする留置針組立体。
【請求項６】
請求項１から請求項５のいずれか１項に記載の留置針組立体において、
前記針基を基端側へ移動させた状態で、前記針基および前記内針を収容する収容部を設けた、
ことを特徴とする留置針組立体。
【考案の詳細な説明】
【技術分野】
【０００１】
この考案は、カテーテルと人体の血管を接続するために使用する留置針組立体に関するものである。
【背景技術】
【０００２】
治療のために血液透析や輸液、輸血などを行うための器具としてカテーテルが使用されるが、このカテーテルを人体の血管に接続するために留置針組立体が使用されている。
【０００３】
この留置針組立体は、先端側にカテーテルの基端側が取り付けられたカテーテルハブ内に、針基の先端側に基端側が取り付けられた内針の先端をカテーテルの先端から突出するように挿通した構成とされている。
【０００４】
この留置針組立体を人体などに刺穿する（突き刺す）場合、針基を把持して刺穿すると、刺穿抵抗があっても、内針およびカテーテルの先端側を刺穿することができる。
【０００５】
しかしながら、カテーテルバブを把持して刺穿すると、刺穿抵抗があることによって内針がカテーテル内を針基側へ移動（後退）することにより、内針およびカテーテルの先端側を刺穿することができなくなる。
【０００６】
そこで、カテーテルバブを把持して刺穿を行っても、刺穿抵抗によって内針がカテーテル内を後退しないように係止機構を備えた留置針組立体が提案されている（例えば、特許文献１参照。）。
【先行技術文献】
【特許文献】
【０００７】
【特許文献１】特開２００１−２１８８５２号公報
【考案の概要】
【考案が解決しようとする課題】
【０００８】
上記した特許文献１に記載されているような係止機構を備えた留置針組立体は、カテーテルハブに対する針基の着脱、または、係止機構の取付が煩雑であった。
【０００９】
この考案は、上記した不都合を解消するためになされたもので、カテーテルハブに対する針基の着脱を容易に行うことのできる留置針組立体を提供するものである。
【課題を解決するための手段】
【００１０】
（１）この考案は、先端側にカテーテルの基端側が取り付けられたカテーテルハブ内に、針基の先端側に基端側が取り付けられた内針の先端を前記カテーテルの先端から突出するように挿通した留置針組立体において、前記針基の先端部と前記カテーテルハブの基端部との一方に係止部を設け、前記針基の先端部と前記カテーテルハブの基端部との他方に、前記係止部側へ突出する係合片を設け、前記係合片に、前記係止部に係合する係合部を設けたことを特徴とする。
【００１１】
（２）この考案は、（１）に記載の留置針組立体において、前記係止部と、前記係合片との少なくとも一方を、弾性体で構成したことを特徴とする。
【００１２】
（３）この考案は、（１）または（２）に記載の留置針組立体において、前記係止部と前記係合部とを、雌ねじ部と雄ねじ部とで構成したことを特徴とする。
【００１３】
（４）この考案は、（３）に記載の留置針組立体において、前記雄ねじ部の前記雌ねじ部と係合しないねじ山の非係合部分側を、面取りしてガイド面としたことを特徴とする。
【００１４】
（５）この考案は、（１）から（４）のいずれか１つに記載の留置針組立体において、前記内針の先端に位置する刃面を、前記係合片側となるように配置したことを特徴とする。
【００１５】
この考案は、（１）から（５）のいずれか１つに記載の留置針組立体において、前記針基を基端側へ移動させた状態で、前記針基および前記内針を収容する収容部を設けたことを特徴とする。
【考案の効果】
【００１６】
この考案によれば、針基とカテーテルハブとが係止部と係合部とによって係合しているので、カテーテルバブを把持して刺穿しても、刺穿抵抗によって内針がカテーテル内を基端側へ移動（後退）しなくなるとともに、輸送時に内針がカテーテル内を基端側へ移動（後退）しなくなる。
そして、係止部に係合部を係合させることによって組み立てることができ、係合部を係止部から離脱させることによってカテーテルから内針を抜きとることができるので、カテーテルハブに対する針基の着脱を容易に行うことができる。
【００１７】
また、係止部と、係合片との少なくとも一方を、弾性体で構成したので、係合部を係止部側（係止部の軸方向）へ押圧して係合片を弾性変形させることにより、係合部が係止部を乗り越えるためにカテーテルハブに針基を取り付けることができ、針基をカテーテルハブに対して傾斜させて係合片を弾性変形させ、係合部と係止部との係合を解除することによってカテーテルから内針を抜きとることができるため、カテーテルハブに対する針基の着脱を容易に行うことができる。
【００１８】
また、係止部と係合部とを、雌ねじ部と雄ねじ部とで構成したので、雄ねじ部を雌ねじ部に螺合させることによってカテーテルハブに針基を取り付けることができ、雄ねじ部と雌ねじ部との螺合を解除することによってカテーテルから内針を抜きとることができるため、カテーテルハブに対する針基の着脱を容易に行うことができる。
【００１９】
また、雄ねじ部の雌ねじ部と係合しないねじ山の非係合部分側を、面取りしてガイド面としたので、雄ねじ部を雌ねじ部側（雌ねじ部の軸方向）へ押圧して係合片を弾性変形させることにより、雄ねじ部がガイド面に案内されて雌ねじ部を乗り越えるため、組み立てをスムーズに行うことができる。
そして、雄ねじ部が雌ねじ部から離脱する方向では通常のねじ山で雌ねじ部と係合しているので、カテーテルハブから針基が不用意に抜け出なくなる。
【００２０】
また、内針の先端に位置する刃面を、係合片側となるように配置したので、内針の刃面の方向を容易に確認することができる。
【００２１】
また、針基を基端側へ移動させた状態で、針基および内針を収容する収容部を設けたので、使用済みの内針で誤刺するなどの事故を防止することができる。
【図面の簡単な説明】
【００２２】
【図１】この考案の一実施例である留置針組立体を示す平面図である。
【図２】図１に示した留置針組立体の側面図である。
【図３】図１に示した留置針組立体の部分平断面図である。
【図４】ロック機構の構成、ロック状態を示す説明図である。
【図５】ロック機構のロック解除状態を示す説明図である。
【図６】係止部と係合部との形態等を示す説明図である。
【図７】係止部に係合部を係合させたり、係止部と係合部との係合を解除する一例の説明図である。
【図８】内針を移動（後退）させて収容部に収容させた状態の、図３に対応する部分断面図である。
【考案を実施するための形態】
【００２３】
以下、この考案の実施例を図面を参照して説明する。
【００２４】
図１はこの考案の一実施例である留置針組立体を示す平面図、図２は図１に示した留置針組立体の側面図、図３は図１に示した留置針組立体の部分平断面図、図４はロック機構の構成、ロック状態を示す説明図、図５はロック機構のロック解除状態を示す説明図、図６は係止部と係合部との形態等を示す説明図、図７は係止部に係合部を係合させたり、係止部と係合部との係合を解除する一例の説明図、図８は内針を移動（後退）させて収容部に収容させた状態の、図３に対応する部分断面図である。
【００２５】
この考案の留置針組立体１は、図１〜図３に示すように、筒状をした、例えば、ポリ塩化ビニル製のカテーテルハブ２と、このカテーテルハブ２の先端側（図３における左側、以下同様）に基端側（図３における左側、以下同様）が取り付けられた筒状をした、例えば、フッ素樹脂製のカテーテル３と、このカテーテル３を介してカテーテルハブ２の先端側から挿入してカテーテルハブ２に取り付けられた翼部材４と、カテーテルハブ３内に収容された、例えば、イソプロピレンゴム製の止血弁５と、この止血弁５を、基端側から押されることによって開ける筒状をした、例えば、ポリプロピレン製のプッシャー６と、このプッシャー６を、止血弁５を閉じるように止血弁５から引き離す弾性体としてのコイルスプリング７と、筒状をした、例えば、ポリカーボネート製の針基８と、この針基８内に先端側から基端側へ圧入された内針９と、針基８の基端に取り付けられた、空気を通過させるが液体（血液）を通過させないフィルター１０と、針基８、内針９およびフィルター１０を収容する収容部と、この収容部に取り付けられたスクリュー１３と、ロック機構を構成する、例えば、ポリオキシメチレン製の押し釦１４と、針基８および内針９を収容部内へ収容するように付勢する弾性体としてのコイルスプリング１５とで構成されている。
【００２６】
この考案の留置針組立体１は、フラッシュバック（血液の逆流）を確認できるように、透明または半透明とされるのが望ましい。
【００２７】
上記したカテーテルハブ２には、基端側の外周に係止部としての雌ねじ部２１が設けられるとともに、基端側の内周が基端側へ拡開する面取り部２２（図３参照）が設けられている。
【００２８】
上記した翼部材４は、例えば、ポリ塩化ビニルで構成され、カテーテルハブ２およびカテーテル３が挿通される筒部４１と、この筒部４１に、筒部４１の軸と直交する方向に、筒部４１に対して折り曲げ可能な２つの翼４２Ａ，４２Ｂとを有している。
【００２９】
上記した内針９は、金属で構成され、先端に刃面９１が設けられている。
【００３０】
上記した収容部は、例えば、ポリカーボネートで構成された筒状のカバー１１と、このカバー１１の基端側を閉塞するように、カバー１１の基端に取り付けられた、カバー１１と同じポリカーボネートで構成された有底筒状のハウジング１２とで構成されている。
【００３１】
そして、カバー１１の先端部には先端側へ突出する小径筒部１１１が設けられ、この小径筒部１１１の外周に、軸方向へ延びるスクリュー１３の回り止めとしての突条（リブ）（図示省略）が設けられている。
【００３２】
上記したスクリュー１３は、弾性を有する樹脂、例えば、ポリプロピレン（ＰＰ）、ポリカーボネート（ＰＣ）、ポリ塩化ビニル（ＰＶＣ）、ポリエチレン（ＰＥ）、ポリアセタール（ＰＯＭ）等で構成され、カバー１１の小径筒部１１１が圧入される取付筒部１３１と、この取付筒部１３１の外周の一部から、先端側へ所定長突出した、係合片１３２と、この係合片１３２の内周面（カテーテルハブ２の雌ねじ部２１と対向する面）に、カテーテルハブ２の雌ねじ部２１と螺合する係合部としての雄ねじ部１３３が設けられている。
【００３３】
そして、雄ねじ部１３３のねじ山は、図６に示すように、カテーテルハブ２の雌ねじ部２１と係合しないねじ山の非係合部分側を、面取りしてガイド面１３４とされている。
【００３４】
なお、雌ねじ部２１（係止部）、係合片１３２および雄ねじ部（係合部）を、図１〜図３の左側から見て、内針９の刃面９１に対して反時計方向へ９０度回転させた位置に位置させたが、雌ねじ部２１（係止部）、係合片１３２および雄ねじ部（係合部）の位置は、図１〜図３の左側から見て、内針９の刃面９１に対して何れの位置に位置させてもよいが、内針９の刃面９１と同じ位置に位置させるのが望ましい。
【００３５】
上記したロック機構は、以下のように構成されている。
【００３６】
針基８の長手方向の中間部（押し釦１４が係合している部分、コイルスプリング１５が設けられている部分よりも基端側）の外周には、図４（ｃ）に示すように、２面幅を形成する切り欠き８１Ａ，８１Ｂが設けられている。
【００３７】
また、押し釦１４の針基８との係合部分には、図４（ｂ）に示すように、切り欠き８１Ａ，８１Ｂの２面幅よりも僅かに大きな幅の円弧状突出部１４２を備えた貫通孔１４１が形成されている。
なお、貫通孔１４１は、円弧状突出部１４２以外の部分が円形状に形成されている。
【００３８】
次に、留置針組立体１の内針９をカテーテル３内への挿通する際（組立）の動作の一例について説明する。
【００３９】
なお、カテーテルハブ２、カテーテル３、翼部材４、止血弁５、プッシャー６およびコイルスプリング７は、図３に示すように、一体に組み立てられ、針基８、内針９、フィルター１０、カバー１１、ハウジング１２、スクリュー１３、押し釦１４およびコイルスプリング１５は、図３に示すように、一体に組み立てられているものとする。
【００４０】
この状態で、図３に示すように、内針９をプッシャー６、止血弁５およびカテーテル３を貫通するように、カテーテルハブ２内へ挿通すると、雌ねじ部２１と雄ねじ部１３３とは図６に示すように対峙した後、図７（ａ）に示すように、雄ねじ部１３３が雌ねじ部２１に当接する。
【００４１】
図７（ａ）に示す状態で、内針９をさらにカテーテルハブ２内へ挿通すると、雄ねじ部１３３はガイド面１３４で案内され、係合片１３２を外側へ撓ませて雌ねじ部２１を、図７（ｂ）に示すように、乗り越えて雌ねじ部２１と係合し、カテーテルハブ２に針基８を取り付けることができ、図１〜図３に示すように組み立てることができる。
【００４２】
なお、内針９をカテーテルハブ２内へ挿通しながら針基８側を回転させて雌ねじ部２１に雄ねじ部１３３に螺合させることにより、カテーテルハブ２に針基８を取り付けてもよい。
【００４３】
次に、留置針組立体１を使用する際の動作について説明する。
【００４４】
なお、使用前においては、図１〜図３に示すように、内針９がカテーテル３の先端から突出し、カテーテル内針用カバー（図示省略）で内針９が覆われているものとする。
【００４５】
この状態で、カテーテル内針用カバーを取り外し、２つの翼４２Ａ，４２Ｂを内側に折り曲げて把持し、内針９を皮膚に穿刺し、内針９の先端とカテーテル３の先端とが血管内に位置するようにする。
【００４６】
このようにすると、血液は内針９の内部から針基８の空間へと逆流する。
【００４７】
このように、血液が逆流するのを確認できたら、例えば、カテーテル３を必要な深さまで進める。
【００４８】
続いて、押し釦１４を押してカテーテル３を残したまま、図８に示すように、内針９を収容部の内部に収容する。
この収容により、内針９が皮膚から抜き取られる。
【００４９】
次に、針基８をカテーテルハブ２から取り外す際の動作の一例について説明する。
【００５０】
図８に示す状態において、収容部（カバー１１またはハウジング１２）を把持して、図７（ｃ）に示すように、針基８をカテーテルハブ２に対して係合片１３２を撓ませるように回動させると、係合片１３２が撓むことによって雄ねじ部１３３の雌ねじ部２１に対する係合が解除されるので、針基８をカテーテルハブ２から取り外すことができる。
【００５１】
この考案の一実施例によれば、針基８とカテーテルハブ２とが係止部（雌ねじ部２１）と係合部（雄ねじ部１３３）とによって係合しているので、カテーテルバブ２を把持して刺穿しても、刺穿抵抗によって内針９がカテーテル３内を基端側へ移動（後退）しなくなるとともに、輸送時に内針９がカテーテル３内を基端側へ移動（後退）しなくなる。
そして、係止部（雌ねじ部２１）に係合部（雄ねじ部１３３）を係合させることによって組み立てることができ、係合部（雄ねじ部１３３）を係止部（雌ねじ部２１）から離脱させることによってカテーテル３から内針９を抜きとることができるので、カテーテルハブ２に対する針基８の着脱を容易に行うことができる。
【００５２】
また、係合片１３２を、弾性体で構成したので、係合部（雄ねじ部１３３）を係止部（雌ねじ部２１）側（係止部（雌ねじ部２１）の軸方向）へ押圧して係合片１３２を弾性変形させることにより、係合部（雄ねじ部１３３）が係止部（雌ねじ部２１）を乗り越えるためにカテーテルハブ２に針基８を取り付けることができ、針基８をカテーテルハブ２に対して傾斜させて係合片１３２を弾性変形させ、係合部（雄ねじ部１３３）と係止部（雌ねじ部２１）との係合を解除することによってカテーテル３から内針９を抜きとることができるため、カテーテルハブ２に対する針基８の着脱を容易に行うことができる。
【００５３】
また、係止部と係合部とを、雌ねじ部２１と雄ねじ部１３３とで構成したので、雄ねじ部１３３を雌ねじ部２１に螺合させることによってカテーテルハブ２に針基８を取り付けることができ、雄ねじ部１３３と雌ねじ部２１との螺合を解除することによってカテーテル３から内針９を抜きとることができるため、カテーテルハブ２に対する針基８の着脱を容易に行うことができる。
【００５４】
また、雄ねじ部１３３の雌ねじ部２１と係合しないねじ山の非係合部分側を、面取りしてガイド面１３４としたので、雄ねじ部１３３を雌ねじ部２１側（雌ねじ部２１の軸方向）へ押圧して係合片１３２を弾性変形させることにより、雄ねじ部１３３がガイド面１３４に案内されて雌ねじ部２１を乗り越えるため、組み立てをスムーズに行うことができる。
そして、雄ねじ部１３３が雌ねじ部２１から離脱する方向では通常のねじ山で雌ねじ部２１と係合しているので、カテーテルハブ２から針基８が不用意に抜け出なくなる。
【００５５】
また、内針９の先端に位置する刃面９１を、係合片１３２側となるように配置したので、内針９の刃面９１の方向を容易に確認することができる。
【００５６】
また、針基８を基端側へ移動させた状態で、針基８および内針９を収容する収容部を設けたので、使用済みの内針９で誤刺するなどの事故を防止することができる。
また、内針９が収容部に収容され、内針９がカテーテルハブ２に挿通されていない状態では、針基８をカテーテルハブ２に対して係合片１３２を撓ませるように回動し易くなり、針基８をカテーテルハブ２から容易に取り外すことができる。
【００５７】
また、カテーテルハブ２の基端側の内周に面取り部２２を設けたので、収容部（針基８）を係合片１３２側へ傾斜させてカテーテルハブ２から針基８を取り外す場合、針基８の先端部分がカテーテルハブ２に衝合しなくなることにより、針基８の取り外しがスムーズに行える。
【００５８】
また、カバー１１の小径筒部１１１の外周に突条（リブ）を設けたので、カバー１１の周方向へスクリュー１３が回るのを防止することができる。
【００５９】
上記した実施例では、翼部材４を設けた例を示したが、翼部材４は設けなくともよい。
また、スクリュー１３をカバー１１（収容部）と別体とした例を示しが、スクリュー１３をカバー１１（収容部）と一体に構成してもよい。
また、針基８とスクリュー１３と間にカバー１１（収容部）を配置した例を示したが、針基８にスクリュー１３を設けたり、針基８とスクリュー１３とを一体に構成して、収容部を設けない構成のものであってもよい。
また、係止部を雌ねじ部２１とし、係合部を雄ねじ部１３３とした例を示したが、係止部を周回する突条（リブ）とし、係合部を突条（リブ）に係合する突起としたり、係止分と係合部とを、例えば、凹部と凸部のような相補的係合部としてもよい。
また、係止部（雌ねじ部２１）をカテーテルハブ２に設け、係合部（雄ねじ部１３３）を針基８側に設けた例を示したが、係止部（雌ねじ部）を針基８側に設け、係合部（雄ねじ部）をカテーテルハブ２に設ける構成としてもよい。
また、係合片１３２（スクリュー１３）のみを弾性体で形成（構成）した例を示したが、カテーテルハブ２を弾性体で形成（構成）したり、カテーテルハブ２および係合片１３２（スクリュー１３）を弾性体で形成（構成）してもよい。
また、カバー１１の小径筒部１１１の外周に突条（リブ）を設けてスクリュー１３が回るのを防止する例を示したが、回り止め（突条）はスクリュー１３の取付筒部１３１の内周面に軸方向へ設けてもよい。
【符号の説明】
【００６０】
１      留置針組立体
２      カテーテルハブ
２１    雌ねじ部（係止部）
２２    面取り部
３      カテーテル
４      翼部材
４１    筒部
４２Ａ  翼
４２Ｂ  翼
５      止血弁
６      プッシャー
７      コイルスプリング
８      針基
８１Ａ  切り欠き
８１Ｂ  切り欠き
９      内針
９１    刃面
１０    フィルター
１１    カバー（収容部）
１１１  小径筒部
１２    ハウジング（収容部）
１３    スクリュー
１３１  取付筒部
１３２  係合片（弾性体）
１３３  雄ねじ部（係合部）
１３４  ガイド面
１４    押し釦
１４１  貫通孔
１４２  円弧状突出部
１５    コイルスプリング
【図１】
0003170612.tif 000003
【図２】
0003170612.tif 000004
【図３】
0003170612.tif 000005
【図４】
0003170612.tif 000006
【図５】
0003170612.tif 000007
【図６】
0003170612.tif 000008
【図７】
0003170612.tif 000009
【図８】
0003170612.tif 000010